(57)【要約】【課題】複数枚の鏡と照明装置を備えつつも、見る人に、より自然な印象を与えることができる鏡装置を提供する。【解決手段】鏡装置１が、筐体１１と、鏡面１２１，１３１が並ぶように筐体１１に支持された三枚の鏡１２，１３と、を備え、三枚の鏡１２，１３のうち二枚の鏡が、固定鏡１２（隣の鏡）に対して接離可能な可動鏡１３となっている。この鏡装置１は、照明装置１４を備えており、この照明装置１４は固定鏡１２（隣の鏡）に接している可動鏡１３によって覆われる光放射領域１４１備え、この光放射領域１４１は可動鏡１３が隣の鏡１２から離間することで露出する。【選択図】図１
2016168171.tif 000002
【特許請求の範囲】
【請求項１】
筐体と、鏡面が並ぶように前記筐体に支持される複数枚の鏡と、照明装置と、を備え、
前記複数枚の鏡のうち少なくとも一枚の鏡が、隣の鏡に対して接離可能な可動鏡となっており、
前記照明装置が、前記可動鏡によって覆われる光放射領域を備え、
前記光放射領域は、前記可動鏡が前記隣の鏡から離間することで露出することを特徴とする鏡装置。
【請求項２】
前記可動鏡が、前記隣の鏡から離間するときに当該可動鏡の鏡面側が前記隣の鏡に対して傾いており、
前記可動鏡が前記隣の鏡に接すると、前記複数枚の鏡が一面鏡を形成し、
前記可動鏡が前記隣の鏡から離間すると、前記複数枚の鏡が多面鏡を形成することを特徴とする請求項１に記載の鏡装置。
【請求項３】
前記可動鏡が、前記隣の鏡側の端部を回転軸として回動することを特徴とする請求項２に記載の鏡装置。
【請求項４】
前記隣の鏡から離間した前記可動鏡における前記隣の鏡側の端部は、当該隣の鏡の鏡面と交差する方向において、前記隣の鏡における前記可動鏡側の端部と同じ位置、又は前記隣の鏡の鏡面側で当該鏡面から離れた位置にあることを特徴とする請求項１から３の何れかに記載の鏡装置。
【請求項５】
前記隣の鏡から離間した前記可動鏡における前記隣の鏡側の端部は、当該隣の鏡に対する接離方向において、前記光放射領域の端部と同じ位置又は前記光放射領域の端部より前記隣の鏡側にあることを特徴とする請求項１から４の何れかに記載の鏡装置。
【請求項６】
前記可動鏡を前記隣の鏡に対して接離させる駆動機構を備えることを特徴とする請求項１から５の何れかに記載の鏡装置。
【発明の詳細な説明】
【技術分野】
【０００１】
本発明は、筐体と、鏡面が並ぶように筐体に支持される複数枚の鏡と、それら複数枚の鏡を見る人を照らす照明装置と、を備えた鏡装置に関するものである。
【背景技術】
【０００２】
従来、例えば三面鏡のように、複数枚の鏡が、鏡面が並ぶように筐体等に支持された鏡装置が知られている（例えば特許文献１参照）。特許文献１に記載の鏡装置は、中央の鏡と、その両側に配置された２枚の袖鏡との三枚の鏡を備えている。そして、袖鏡を中央の鏡に対して傾けて三面鏡が形成されるようになっている。また、この鏡装置では、中央の鏡の周囲には照明装置が配置されている。この照明装置は、三面鏡を見る人を照らすことで、上記のように傾いた袖鏡が人の顔等に落とす影を打ち消して、見る人に自然な印象を与える役割を果たしている。
【先行技術文献】
【特許文献】
【０００３】
【特許文献１】特開２００８−２７２３３３号公報
【発明の概要】
【発明が解決しようとする課題】
【０００４】
ところで、上記の鏡装置を使用するに当たり、袖鏡や中央の鏡を個別に見るだけでなく、これらの鏡を連続した１枚の鏡として見る場合がある。このとき、上記のように影を打ち消すのに有効な照明装置が、各鏡を相互に分割してしまい、見る人に１枚の鏡としての統一感を与え難くすることがある。このように、上記の鏡装置については、見る人に与える印象の自然さという点で改善の余地を残しているという問題が一例として挙げられる。
【０００５】
尚、ここまで、三枚の鏡と照明装置を備えた上記の鏡装置を例に挙げて説明を行った。しかしながら、上記のような改善の余地は、２枚以上の複数枚の鏡と照明装置を備える鏡装置であれば、具体的な鏡の枚数を問わずに共通に生じ得る。
【０００６】
本発明は、このような問題に対処することを課題の一例とするものである。すなわち、複数枚の鏡と照明装置を備えつつも、見る人に、より自然な印象を与えることができる鏡装置を提供することを目的とする。
【課題を解決するための手段】
【０００７】
上記課題を解決するために、請求項１に記載の発明は、筐体と、鏡面が並ぶように前記筐体に支持される複数枚の鏡と、照明装置と、を備え、前記複数枚の鏡のうち少なくとも一枚の鏡が、隣の鏡に対して接離可能な可動鏡となっており、前記照明装置が、前記可動鏡によって覆われる光放射領域を備え、前記光放射領域は、前記可動鏡が前記隣の鏡から離間することで露出することを特徴とする鏡装置。
【図面の簡単な説明】
【０００８】
【図１】本発明の第１実施例にかかる鏡装置を示す図である。
【図２】図１中の右側の可動鏡を例に挙げて可動鏡の駆動機構を示す図である。
【図３】図２（ａ）に示されている駆動機構を図２（ａ）中の矢印Ｖ１方向から見た図である。
【図４】図２（ａ）に示されている駆動機構を図３中の矢印Ｖ２方向から見た図である。
【図５】図２（ｂ）に示されている駆動機構を図２（ｂ）中の矢印Ｖ２方向から見た図である。
【図６】図１に示されている３つの入力部を示す模式図である。
【図７】３つの入力部が連続して操作されるときの状況を模式的に示す図である。
【図８】３つの入力部のうちの任意の入力部が個別に操作されるときの状況を模式的に示す図である。
【図９】図１及び図６に示されている３つの入力部それぞれの大きさと、相互間の距離との関係を、別例とともに示す模式図である。
【図１０】本発明の第２実施例にかかる鏡装置を示す図である。
【発明を実施するための形態】
【０００９】
以下、本発明の一実施形態にかかる鏡装置を説明する。本発明の一実施形態にかかる鏡装置は、筐体と、鏡面が並ぶように前記筐体に支持される複数枚の鏡と、照明装置と、を備え、前記複数枚の鏡のうち少なくとも一枚の鏡が、隣の鏡に対して接離可能な可動鏡となっており、前記照明装置が、前記可動鏡によって覆われる光放射領域を備え、前記光放射領域は、前記可動鏡が前記隣の鏡から離間することで露出することを特徴とする。
【００１０】
この鏡装置によれば、可動鏡が隣の鏡に接しているときには照明装置の光放射領域が覆われる。このため、可動鏡を隣の鏡に接触させることで、この可動鏡を含む複数枚の鏡を１枚の鏡として見る場合に、光放射領域が可動鏡と隣の鏡とを分割して、見る人に１枚の鏡としての統一感を与え難くするといった事態が回避される。一方で、光放射領域は、可動鏡が隣の鏡から離間することで露出する。これにより、可動鏡を隣の鏡から離間させて複数枚の鏡を個別に見る場合に、人の顔等に落ちる影を打ち消して、見る人に自然な印象を与えることができる。このように、上記の鏡装置は、複数枚の鏡と照明装置を備えつつも、見る人に、より自然な印象を与えることができるものとなっている。
【００１１】
また、本発明の一実施形態にかかる鏡装置は、前記可動鏡が、前記隣の鏡から離間するときに当該可動鏡の鏡面側が前記隣の鏡に向かって傾くものであり、前記可動鏡が前記隣の鏡に接すると、前記複数枚の鏡が一面鏡を形成し、前記可動鏡が前記隣の鏡から離間すると、前記複数枚の鏡が多面鏡を形成することとなっている。このように、本発明の一実施形態にかかる鏡装置は、一面鏡と多面鏡との二種類の使用態様の間で切替え自在に使用することができるので好適である。
【００１２】
また、本発明の一実施形態にかかる鏡装置は、前記可動鏡が、前記隣の鏡側の端部を回転軸として回動することで前記隣の鏡に向かって傾くものとなっている。可動鏡を回動させて多面鏡とするとき、可動鏡における隣の鏡側の端部が回転軸となることから、回動後の可動鏡の略全面を見ることができる。このように、本発明の一実施形態にかかる鏡装置は、多面鏡として使用するときでも、可動鏡を無駄なく使用することができる。
【００１３】
また、本発明の一実施形態にかかる鏡装置では、前記隣の鏡から離間した前記可動鏡における前記隣の鏡側の端部は、当該隣の鏡の鏡面と交差する方向において、前記隣の鏡における前記可動鏡側の端部と同じ位置、又は前記隣の鏡の鏡面側で当該鏡面から離れた位置にある。仮に、本実施形態とは異なり、可動鏡における隣の鏡側の端部が、当該隣の鏡の鏡面と交差する方向において、例えば隣の鏡における可動鏡側の端部よりも後方に下がっているものとする。可動鏡を傾けて多面鏡として用いるような場合、可動鏡における隣の鏡側の端部がこのように後方に下がっていると、可動鏡に映る像が隣の鏡側に寄ってしまい、見難くなることがある。或いは、鏡を用いる人に、可動鏡及び隣の鏡に映る像に違和感を与える。これに対し、本実施形態の鏡装置は、可動鏡における隣の鏡側の端部が、隣の鏡における可動鏡側の端部と同じ位置、又は隣の鏡の鏡面側でその鏡面から離れた位置にあるので、可動鏡に映る像の隣の鏡側への寄りが抑えられる。
【００１４】
また、本発明の一実施形態にかかる鏡装置では、前記隣の鏡から離間した前記可動鏡における前記隣の鏡側の端部は、当該隣の鏡に対する接離方向において、前記光放射領域の端部と同じ位置又は前記光放射領域の端部より前記隣の鏡側にある。これにより、光放射領域の露出時に可動鏡の端部と光放射領域の端部との間に隙間が生じることがなく、可動鏡より筐体側（後方側）にあるフレキシブル回路基板などを鏡装置の使用者から見えづらくなるなど、鏡装置の見栄えの点で好適である。
【００１５】
また、本発明の一実施形態にかかる鏡装置では、前記可動鏡を前記隣の鏡に対して接離させる駆動機構を備えていることから、鏡装置の使用者により駆動機構を実行させることで、可動鏡を隣の鏡に接離させることができる。
【実施例】
【００１６】
本発明の第１実施例にかかる鏡装置を、図１〜図９を参照して説明する。
【００１７】
図１は、本発明の第１実施例にかかる鏡装置を示す斜視図である。この鏡装置１は、ユーザによって持ち運び可能なポータブルの鏡装置であり、筐体１１と、鏡面１２１，１３１が並ぶように筐体１１に支持された三枚の鏡１２，１３と、を備えている。そして、三枚の鏡１２，１３のうち中央の鏡が筐体１１に対して移動しないように固定された固定鏡１２となっており、その両側の二枚の鏡が、固定鏡１２（隣の鏡）の鏡面１２１を見たときの平面視で、固定鏡１２に対して接離可能な可動鏡１３となっている。図１（ａ）には、可動鏡１３が固定鏡１２に接した状態が示され、図１（ｂ）には、可動鏡１３が固定鏡１２から離間した状態が示されている。
【００１８】
この鏡装置１は、例えば、ＬＥＤや有機ＥＬからなる照明装置１４を備えている。この照明装置１４は、固定鏡１２に可動鏡１３が接するとその可動鏡１３によって覆われる光放射領域１４１を有している。可動鏡１３が固定鏡１２から離間すると、この光放射領域１４１が露出する。
【００１９】
また、本実施例では、可動鏡１３が、固定鏡１２から離間するときにその鏡面１３１側が固定鏡１２に向かって傾くように構成されている。そして、可動鏡１３が固定鏡１２に接すると、３枚の鏡１２，１３が一面鏡を形成し、可動鏡１３が固定鏡１２から離間すると、３枚の鏡１２，１３が三面鏡を形成する。
【００２０】
尚、本実施例では、照明装置１４の光放射領域１４１は、固定鏡１２の、図１中で上方の位置については、可動鏡１３の位置に関わらず露出されている。そして、図１において固定鏡１２を左右に挟んだ位置について、可動鏡１３が固定鏡１２から離間すると光放射領域１４１が露出するようになっている。即ち、固定鏡１２の上方の位置の光放射領域１４１は、一面鏡が形成された状態でも、この鏡装置１３を使用する人や見る人（以下、「見る人」で記載する）を照らす。そして、可動鏡１３が離間した時に固定鏡１２の両側に露出する光放射領域１４１は、三面鏡が形成されたときに見る人を照らす。
【００２１】
三面鏡が形成されるときには、見る人に向かって迫り出した状態となる可動鏡１３が、その人の顔等に影を落とすことがある。三面鏡が形成されたときに露出する光放射領域１４１からの照明は、このような可動鏡１３による影を打ち消して、見る人に自然な印象を与える役割を果たす。
【００２２】
また、この鏡装置１は、ユーザによって操作される３つの入力部１５１，１５２，１５３と、処理を行う制御部１６と、後述の図２〜図５を参照して説明する可動鏡１３の駆動機構１７と、を備えている。
【００２３】
３つの入力部１５１，１５２，１５３は、各々がタッチセンサとなっており、筐体１１における、固定鏡１２の、図１中で下方の位置に、一列に配列されている。３つの入力部１５１，１５２，１５３のうち、図１中で最も左側の第１入力部１５１が、照明装置１４を点灯あるいは消灯させるための入力部となっている。照明装置１４が点灯しているときに第１入力部１５１が操作されると照明装置１４が消灯し、照明装置１４が消灯しているときに第１入力部１５１が操作されると照明装置１４が点灯する。
【００２４】
３つの入力部１５１，１５２，１５３のうち他の２つの入力部は、照明装置１４による照明色を変更するためのものとなっている。中央の第２入力部１５２が、照明色を、夜間の照明に適した暖色系の色に変更する入力部となっている。また、図１中で最も右側の第３入力部１５３が、照明色を、昼間の照明に適した白色系の色に変更する入力部となっている。照明色が白色系の色となっている状態で第２入力部１５２が操作されると、照明色が暖色系の色に変更される。また、照明色が暖色系の色となっている状態で第３入力部１５３が操作されると照明色が白色系の色に変更される。すなわち、照明色の色温度を第２入力部１５２、第３入力部１５３の操作により変更する。
【００２５】
また、本実施例では、第１入力部１５１から第３入力部１５３の操作の順序で矢印Ｄ１方向になぞるように連続して操作されると、可動鏡１３が固定鏡１２から離間して三面鏡が形成される。また、第３入力部１５３から第１入力部１５１の操作の順序で矢印Ｄ２方向になぞるように連続して操作されると、可動鏡１３が固定鏡１２に接して一面鏡が形成される。
【００２６】
このような３つの入力部１５１，１５２，１５３に対する操作に応じた各種処理は、筐体１１に内蔵された制御部１６によって実行される。３つの入力部１５１，１５２，１５３や制御部１６については、後で再度説明する。
【００２７】
制御部１６の制御の下で、可動鏡１３を駆動する駆動機構１７は、次のような構成となっている。尚、本実施例では、駆動機構１７は、２枚の可動鏡１３それぞれについて設けられている。
【００２８】
図２は、図１中の右側の可動鏡を例に挙げて可動鏡の駆動機構を示す図である。この図２には、右側の可動鏡１３の駆動機構１７が、筐体１１の側壁を取り除いて目視可能な状態で示されている。図２（ａ）には、可動鏡１３が固定鏡１２に接した状態が示され、図１（ｂ）には、可動鏡１３が固定鏡１２から離間した状態が示されている。
【００２９】
また、図３は、図２（ａ）に示されている駆動機構を図２（ａ）中の矢印Ｖ１方向から見た図であり、図４は、図２（ａ）に示されている駆動機構を図３中の矢印Ｖ２方向から見た図である。そして、図５は、図２（ｂ）に示されている駆動機構を図２（ｂ）中の矢印Ｖ２方向から見た図である。
【００３０】
駆動機構１７は、可動鏡１３において上記の３つの入力部１５１，１５２，１５３側となる下端縁１３２と、この下端縁１３２の反対側の上端縁１３３と、のそれぞれに沿って延在する一対のスライドフレーム１７１を備えている。これら一対のスライドフレーム１７１それぞれには、鏡装置１の厚み方向に所定の間隔を空けて、上記の下端縁１３２や上端縁１３３に沿って延びる、互いに平行な第１カム溝１７１ａと第２カム溝１７１ｂが設けられている。第１カム溝１７１ａは、鏡装置１の厚み方向の上段側で、第２カム溝１７１ｂよりも鏡装置１の側面寄りに位置し、この第２カム溝１７１ｂよりも短く形成されている。
【００３１】
そして、駆動機構１７では、可動鏡１３の下端縁１３２近傍や上端縁１３３近傍を支持するとともに、第１カム溝１７１ａ及び第２カム溝１７１ｂに沿ってスライド移動するスライドレール１７２が、一対のスライドフレーム１７１それぞれに支持されている。
【００３２】
各スライドレール１７２は、第１レール１７２ａと第２レール１７２ｂとを備えている。第１レール１７２ａは、その一端が可動鏡１３の裏面に固定されており、他端が、１つの第１カムシャフト１７３ａを介して第２レール１７２ｂの一端と矢印Ｄ３方向に回動可能に連結されている。この第１カムシャフト１７３ａは、スライドフレーム１７１における第１カム溝１７１ａにスライド自在に嵌め込まれている。第２レール１７２ｂには、２つの第２カムシャフト１７３ｂが取り付けられている。これら２つの第２カムシャフト１７３ｂは、スライドフレーム１７１における第２カム溝１７１ｂにスライド自在に嵌め込まれている。
【００３３】
また、第１レール１７２ａには、スライドフレーム１７１における第１カム溝１７１ａ及び第２カム溝１７１ｂに対して可動鏡１３側に傾斜した、第３カム溝１７２ａ−１及び第４カム溝１７２ａ−２が設けられている。鏡装置１の厚み方向において、第３カム溝１７２ａ−１は、第４カム溝１７２ａ−２の上段側に配置され、また、第４カム溝１７２ａ−２よりも傾斜が緩めに形成されている。そして、スライドフレーム１７１に、第３カム溝１７２ａ−１にスライド自在に嵌め込まれる第３カムシャフト１７３ｃと、第４カム溝１７２ａ−２にスライド自在に嵌め込まれる第４カムシャフト１７３ｄと、が取り付けられている。
【００３４】
このようなスライドレール１７２が矢印Ｄ４方向に移動するときには、第２レール１７２ｂは、第１カムシャフト１７３ａが第１カム溝１７１ａ内をスライド移動し、第２カムシャフト１７３ｂが第２カム溝１７１ｂ内をスライド移動することで、矢印Ｄ４方向にスライド移動する。他方、第１レール１７２ａは、第１カムシャフト１７３ａのスライド移動に伴って矢印Ｄ４方向にスライド移動する。このとき、スライドフレーム１７１の第３カムシャフト１７３ｃ及び第４カムシャフト１７３ｄが、第１レール１７２ａに傾斜して設けられた第３カム溝１７２ａ−１及び第４カム溝１７２ａ−２の内部をスライド移動することで、第１レール１７２ａは、第１カムシャフト１７３ａを中心に回動して上方に迫り出す。
【００３５】
第１レール１７２ａの矢印Ｄ４方向のスライド移動と迫り出しにより、図２（ｂ）に示されているように、可動鏡１３が、固定鏡１２から離間するとともに、固定鏡１２側の側端縁をなす端部１３４を回転軸として回動して固定鏡１２に向かって傾く。このとき、本実施例では、可動鏡１３における固定鏡１２側の端部１３４は、固定鏡１２の鏡面１２１と交差する方向（図２における矢印ＣＤ１方向）において、固定鏡１２における可動鏡１３側の側端縁をなす端部１２２と同じ位置にある。このように可動鏡１３が移動することで、それまで可動鏡１３に覆われていた照明装置１４の光放射領域１４１が露出する。
【００３６】
スライドレール１７２が逆方向の矢印Ｄ５方向に移動するときには、第１レール１７２ａが、第１カムシャフト１７３ａを中心に逆向きに回動して下方に戻りつつ、第２レール１７２ｂとともに矢印Ｄ５方向にスライド移動する。第１レール１７２ａの矢印Ｄ５方向のスライド移動と下方への戻りにより、図２（ａ）に示されているように、可動鏡１３が逆向きに回動しつつ固定鏡１２に接する。これにより、露出していた光放射領域１４１が可動鏡１３によって覆われる。
【００３７】
このようなスライドレール１７２の移動は、駆動機構１７に備えられるモータ１７４によって行われる。スライドレール１７２における第２レール１７２ｂには、上記の矢印Ｄ４，Ｄ５方向に沿って延在するラックギア１７５が固定されている。本実施例では、一対のスライドレール１７２のうち、３つの入力部１５１，１５２，１５３側のスライドレール１７２におけるラックギア１７５に、モータ１７４からの回転駆動力が伝わる。回転駆動力は、モータ１７４に接続されている減速ギア１７６及びピニオンギア１７７を介して、上記のラックギア１７５に伝わる。さらに、このラックギア１７５には、一対のスライドレール１７２の間に延びる連絡シャフト１７８の一端に設けられた連絡用ピニオンギア１７８ａが噛み合っている。そして、３つの入力部１５１，１５２，１５３とは反対側のスライドレール１７２におけるラックギア１７５に、連絡シャフト１７８の他端に設けられた連絡用ピニオンギア１７８ｂが噛み合っている。
【００３８】
モータ１７４が回転駆動力を発すると、上記の機構を介して一対のスライドレール１７２のそれぞれにその回転駆動力が伝わって、それら一対のスライドレール１７２が互いに同期して移動することとなる。
【００３９】
また、本実施例では、３つの入力部１５１，１５２，１５３側のスライドフレーム１７１に、移動中のスライドレール１７２の位置を検出するための位置センサ１７９ａが固定されている。この位置センサ１７９ａは、スライドフレーム１７１に設けられた第２カム溝１７１ｂ越しに、第２レール１７２ｂの位置を検出する。
【００４０】
さらに、本実施例では、図４に示されているように、３つの入力部１５１，１５２，１５３側のスライドフレーム１７１に、開き検知センサ１７９ｂと、閉じ検知センサ１７９ｃとが設けられている。開き検知センサ１７９ｂは、可動鏡１３の固定鏡１２からの離間と可動鏡１３の回動による迫り出しとが完了したことを検知する。閉じ検知センサ１７９ｃは、逆に、可動鏡１３の回動による戻りが完了したことと可動鏡１３が固定鏡１２へ接触したことを検知する。
【００４１】
可動鏡１３の離間と可動鏡１３の回動による迫り出しの最中には、スライドレール１７２とともにラックギア１７５が矢印Ｄ４方向に移動する。そして、その迫り出しが完了した段階で、ラックギア１７５における、その矢印Ｄ４方向の端部が所定位置に達する。開き検知センサ１７９ｂは、その位置に達したラックギア１７５の端部の下方側となる位置に配置されている。開き検知センサ１７９ｂは、このラックギア１７５の端部が、開き検知センサ１７９ｂの上方に達することをもって、可動鏡１３の離間と可動鏡１３の回動を伴う迫り出しの完了を検知する。
【００４２】
可動鏡１３と固定鏡１２とが接触するまでの可動鏡１３の回動を伴う戻りの最中には、スライドレール１７２とともにラックギア１７５が矢印Ｄ５方向に移動する。そして、可動鏡１３と固定鏡１２とが接触した段階で、ラックギア１７５における、その矢印Ｄ５方向の端部が所定位置に達する。閉じ検知センサ１７９ｃは、その位置に達したラックギア１７５の端部の下方側となる位置に配置されている。閉じ検知センサ１７９ｃは、このラックギア１７５の端部が、閉じ検知センサ１７９ｃの上方に達することをもって、可動鏡１３の回動を伴う戻りが完了したことと可動鏡１３が固定鏡１２に接触したことを検知する。
【００４３】
上述したように、本実施例では、図１に示されている制御部１６による制御の下、３つの入力部１５１，１５２，１５３が、矢印Ｄ１方向になぞるように連続して操作されると可動鏡１３が固定鏡１２から離間して三面鏡が形成される。即ち、このような操作が行われると、制御部１６が、スライドレール１７２を矢印Ｄ４方向に移動させるためのモータ１７４の駆動（回転）を開始させる。そして、上記の開き検知センサ１７９ｂにおいて、ラックギア１７５における矢印Ｄ４方向における端部が上方に達したことが検知されると、制御部１６が、モータ１７４の駆動を停止させる。
【００４４】
また、３つの入力部１５１，１５２，１５３が、矢印Ｄ２方向になぞるように連続して操作されると可動鏡１３が固定鏡１２に接して一面鏡が形成される。即ち、このような操作が行われると、制御部１６が、スライドレール１７２を矢印Ｄ５方向に移動させるためのモータ１７４の駆動（回転）を開始させる。そして、閉じ検知センサ１７９ｃにおいて、ラックギア１７５における矢印Ｄ５方向における端部が上方に達したことが検知されると、制御部１６が、モータ１７４の駆動（回転）を停止させる。
【００４５】
このように、３つの入力部１５１，１５２，１５３に対する連続操作をトリガとして、本実施例では、制御部１６の制御の下、駆動機構１７が、可動鏡１３の移動を自動的に実行する。
【００４６】
以上に説明した駆動機構１７と筐体１１における鏡面側の上面１１ａとの間には、例えば有機ＥＬからなるシート状の照明装置１４を支持する照明用シャーシ１１１が配置されている。そして、この照明用シャーシ１１１に、照明装置１４が、一面鏡が形成されるときには可動鏡１３に光放射領域１４１が覆われるように支持されている。上記のように可動鏡１３が固定鏡１２から離間しつつ回動することで三面鏡が形成されるときに、この光放射領域１４１が露出する。
【００４７】
また、本実施例では、図１（ｂ）や図２（ｂ）に示されているように、固定鏡１２から離間した可動鏡１３における固定鏡１２側の端部１３４は、固定鏡１２に対する接離方向において、光放射領域１４１の端部１４１ａより固定鏡１２側に位置する。
【００４８】
ここで、本実施例では、上記のように可動鏡１３を移動させるために操作される３つの入力部１５１，１５２，１５３が、次のように構成されている。
【００４９】
図６は、図１に示されている３つの入力部を示す模式図である。図６（ａ）には、鏡装置１における３つの入力部１５１，１５２，１５３の周辺部の模式的な斜視図が示されている。また、図６（ｂ）には、３つの入力部１５１，１５２，１５３の周辺部の模式的な断面図が示されている。
【００５０】
筐体１１は複数の面から構成されている。これら複数の面には、上面１１ａが含まれる。筐体１１の上面１１ａには、擂鉢状の３つの孔１１ｂが設けられている。そして、これら３つの孔１１ｂを貫通して、３つの入力部１５１，１５２，１５３が嵌め込まれている。このとき、各入力部１５１，１５２，１５３は、その端部が、上面１１ａから突出するように筐体１１に支持されている。
【００５１】
上述したように、本実施例では、３つの入力部１５１，１５２，１５３は、各々がタッチセンサとなっており、具体的には、人の指で触れられたときの静電容量変化を検知する静電タッチセンサとなっている。また、３つの入力部１５１，１５２，１５３は、所定距離ｄ１を空けて等間隔に配列されており、本実施例では、この距離ｄ１が、２［ｃｍ］以内の距離に設定されている。また、３つの入力部１５１，１５２，１５３は、その配列方向について、２０［ｃｍ］以内の範囲に配列されている。具体的には、第１入力部１５１が嵌め込まれた擂鉢状の孔１１ｂの図中左端から、第３入力部１５３が嵌め込まれた擂鉢状の孔１１ｂの図中右端までの距離ｄ２が、２０［ｃｍ］以内に設定されている。
【００５２】
また、各入力部１５１，１５２，１５３の端部が上面１１ａから突出していることで、ユーザが指で各入力部１５１，１５２，１５３に触れたときに各入力部１５１，１５２，１５３を個別認識できる触感をユーザに与えることとなっている。
【００５３】
これら３つの入力部１５１，１５２，１５３には、上述したように、照明装置１４の点灯／消灯処理、及び照明色の変更処理を含む３つの処理それぞれが対応付けられている。そして、３つの入力部１５１，１５２，１５３の全てをなぞるように連続して操作されると、可動鏡１３が固定鏡１２に対して接離される。
【００５４】
また、本実施例では、３つの入力部１５１，１５２，１５３は、連続操作の際にこれら３つの入力部１５１，１５２，１５３の全てをなぞる指の軌跡に直線をあてることができるように上記の矢印Ｄ１，Ｄ２に沿って直線状に配列されている。
【００５５】
本実施例では、３つの入力部１５１，１５２，１５３の全てと、それら３つの入力部１５１，１５２，１５３に対する連続操作における操作の順序との、操作の順序が互いに異なる２つの組合せによる操作が可能となっている。即ち、３つの入力部１５１，１５２，１５３の全てを、第１入力部１５１から第３入力部１５３へと矢印Ｄ１方向になぞるという組合せと、３つの入力部１５１，１５２，１５３の全てを、第３入力部１５３から第１入力部１５１へと矢印Ｄ２方向になぞるという組合せと、の２つの組合せによる操作が可能となっている。
【００５６】
そして、可動鏡１３を固定鏡１２から離間させる移動処理と、可動鏡１３を固定鏡１２に接触させる移動処理と、の２つの処理に、上記の２つの組合せが一対一に対応付けられている。可動鏡１３を固定鏡１２から離間させる移動処理には、３つの入力部１５１，１５２，１５３の全てを、第１入力部１５１から第３入力部１５３へと矢印Ｄ１方向になぞるという組合せが対応付けられている。また、可動鏡１３を固定鏡１２に接触させる移動処理には、３つの入力部１５１，１５２，１５３の全てを、第３入力部１５３から第１入力部１５１へと矢印Ｄ２方向になぞるという組合せが対応付けられている。このような対応付けは、図１に示されている制御部１６においてなされている。
【００５７】
ここで、制御部１６では、３つの入力部１５１，１５２，１５３が連続して操作されたか、個別に操作されたか、次のように識別される。
【００５８】
図７は、３つの入力部が連続して操作されるときの状況を模式的に示す図であり、図８は、３つの入力部のうちの任意の入力部が個別に操作されるときの状況を模式的に示す図である。図７（ａ）には、ユーザが３つの入力部１５１，１５２，１５３を、指で矢印Ｄ１方向になぞるように連続して操作する様子が示されている。また、図７（ｂ）には、このように操作されたときに、各入力部１５１，１５２，１５３が発するセンサ信号が示されている。そして、図８（ａ）には、ユーザが第１入力部１５１と第２入力部１５２とを、指で個別に触れて操作する様子が示されている。また、図８（ｂ）には、このように操作されたときに、２つの入力部１５１，１５２が発するセンサ信号が示されている。
【００５９】
これらの図７及び図８に示されているように、３つの入力部１５１，１５２，１５３それぞれは、指で触れられると所定のパルス幅を有するセンサ信号を発信する。制御部１６は、１つの入力部からセンサ信号が発せられてから所定時間ｔ［ｍｓ］が経過しても他の入力部からセンサ信号が発せられない場合に、その入力部が個別に操作されたと認識する。
【００６０】
図８の例では、第１入力部１５１から第１センサ信号Ｓ１が発せられてから所定時間ｔ［ｍｓ］が経過しても他の入力部からセンサ信号が発せられていないので、制御部１６は、第１入力部１５１が個別に操作されたと認識する。このときには、制御部１６は、照明装置１４に対し点灯／消灯を指示する。また、所定時間ｔ［ｍｓ］を過ぎて第２入力部１５２から第２センサ信号Ｓ２が発せられているが、その後、どの入力部からもセンサ信号が発せられていないので、制御部１６は、第１入力部１５１に続いて第２入力部１５２が個別に操作されたと認識する。このときには、制御部１６は、照明装置１４に対し、照明色を夜間に適した暖色系の照明色に切り換えるように指示する。
【００６１】
一方、任意の入力部からセンサ信号が発せられてから所定時間ｔ［ｍｓ］以内に他の入力部からのセンサ信号が続くように、３つの入力部１５１，１５２，１５３から連続して３つのセンサ信号Ｓ１、Ｓ２，Ｓ３が発せられた場合、制御部１６は、それら３つの入力部１５１，１５２，１５３が連続して操作されたと認識する。このとき、３つのセンサ信号Ｓ１、Ｓ２，Ｓ３の発信順に基づいて、制御部１６は、３つの入力部１５１，１５２，１５３に対する操作の順序を認識する。
【００６２】
図７の例では、第１センサ信号Ｓ１から第３センサ信号Ｓ３の順で連続して３つのセンサ信号Ｓ１、Ｓ２，Ｓ３が発せられているので、制御部１６は、３つの入力部１５１，１５２，１５３が、第１入力部１５１から第３入力部１５３に至る矢印Ｄ１方向の操作の順序で連続して操作されたと認識する。このときには、制御部１６は、上述した駆動機構１７において、可動鏡１３を固定鏡１２から離間させるためのモータ１７４の駆動（回転）を開始させる。そして、上述したように、開き検知センサ１７９ｂにおいて、ラックギア１７５における矢印Ｄ４方向の端部が上方に達したことが検知されると、制御部１６は、モータ１７４の駆動（回転）を停止させる。
【００６３】
ここで、本実施例では、３つの入力部１５１，１５２，１５３それぞれの大きさと、図６（ｂ）に示されている相互間の距離ｄ１との関係が次のようになっている。
【００６４】
図９は、図１及び図６に示されている３つの入力部それぞれの大きさと、相互間の距離との関係を、別例とともに示す模式図である。図９（ａ）には、本実施例における３つの入力部１５１，１５２，１５３それぞれの大きさと、相互間の距離ｄ１との関係が示されている。また、図９（ｂ）には、本実施例とは異なる別例の関係が示されている。
【００６５】
図９（ａ）に示されているように、本実施例では、３つの入力部１５１，１５２，１５３それぞれの大きさ（即ち、配列方向の幅Ｗ１）よりも、相互間の距離ｄ１（本実施例では２［ｃｍ］以内）が大きくなるように設定されている。そして、この関係は、本実施例とは逆に、図９（ｂ）に別例として示されているように、３つの入力部１５１ａ，１５２ａ，１５３ａそれぞれの大きさ（即ち、配列方向の幅Ｗ２）よりも、相互間の距離ｄ３が小さくなるように設定されてもよい。
【００６６】
尚、３つの入力部１５１，１５２，１５３，１５１ａ，１５２ａ，１５３ａの相互間の距離ｄ１，ｄ３と、上記の所定時間ｔ［ｍｓ］とは、ユーザが、３つの入力部１５１，１５２，１５３，１５１ａ，１５２ａ，１５３ａを連続操作したときと、全ての入力部１５１，１５２，１５３，１５１ａ，１５２ａ，１５３ａを連続操作のときと同じ順番で個別に操作したときとで、制御部１６の認識に差が生じるように設定される。距離ｄ１，ｄ３をあまり長く設定しすぎると、制御部１６の認識に差を生じさせるために上記の所定時間ｔ［ｍｓ］を長時間に設定する必要が出て来る。しかし、あまり長時間に設定しすぎると、今度は、ユーザが、個別に操作する際に意識的に間を置かなくてはいけなくなり、ユーザにとっては使い難くなりがちである。
【００６７】
本実施例において、距離ｄ１の上限値として設定されている２［ｃｍ］という値は、図９（ａ）に示されている大小関係において、上記の所定時間ｔ［ｍｓ］を、ユーザにとって使い難さを感じさせない程度に短く設定できる距離となっている。所定時間ｔ［ｍｓ］は、ここでは特定しないが、距離ｄ１を２［ｃｍ］に設定したときに、連続操作と個別操作とで、制御部１６の認識に差が生じる値に設定される。このような事情は、図９（ｂ）に示されている別例においても同様である。
【００６８】
また、本実施例における２０［ｃｍ］以内という３つの入力部１５１，１５２，１５３の配列範囲は、ユーザが指でなぞって連続操作を行う際に、広過ぎずに操作し易い範囲となっている。
【００６９】
次に、本発明の第２実施例にかかる鏡装置を、図１０を参照して説明する。尚、この第２実施例の鏡装置は、上述した第１実施例の鏡装置１が、ユーザによって持ち運ばれるポータブルの鏡装置であったのに対し、据置タイプの鏡装置となっている。一方で、鏡や照明装置や駆動機構を含む基本構成は、第１実施例の鏡装置１と同等なものとなっている。そこで、以下では、第２実施例にかかる鏡装置について、第１実施例の鏡装置１との相違点に注目して説明する。
【００７０】
図１０は、本発明の第２実施例にかかる鏡装置を示す図である。尚、この図１０では、図１に示されている第１実施例の鏡装置１の構成要素と同等な構成要素については、図１と同じ符号が付されており、以下では、それら同等な構成要素については重複説明を割愛する。
【００７１】
本実施例の鏡装置２は、その筐体２１が、洗面台２２や収納棚２３と一体に構成された据置タイプの鏡装置である。この鏡装置２でも、３つの入力部１５１，１５２，１５３に対する２つの連続操作により、固定鏡１２に対して可動鏡１３が接離するように構成されている。図１０（ａ）には、可動鏡１３が固定鏡１２に接した状態が示され、図１０（ｂ）には、可動鏡１３が固定鏡１２から離間した状態が示されている。この可動鏡１３の離間により、照明装置１４の光放射領域１４１が露出する。
【００７２】
本実施例の鏡装置２では、鏡を見る人を上方から照らすための第２の照明装置２４が、３枚の鏡１２，１３の上方に、やや下向き下限となるように配置されている。この第２の照明装置２４は、人の顔の凹凸に起因する明暗を打ち消して、見る人に自然な印象を与える役割を果たす。
【００７３】
以上に説明した第１実施例の鏡装置１及び第２実施例の鏡装置２によれば、何れの場合も、可動鏡１３が隣の固定鏡１２に接しているときには照明装置１４の光放射領域１４１が覆われる。このため、可動鏡１３を固定鏡１２に接触させることで、この可動鏡１３を含む３枚の鏡を１枚の鏡として見る場合に、光放射領域１４１が可動鏡１３と固定鏡１２とを分割して、見る人に１枚の鏡としての統一感を与え難くするといった事態が回避される。一方で、光放射領域１４１は、可動鏡１３が固定鏡１２から離間することで露出する。これにより、可動鏡１３を固定鏡１２から離間させて３枚の鏡を個別に見る場合に、人の顔等に落ちる影を打ち消して、見る人に自然な印象を与えることができる。このように、上記の第１実施例の鏡装置１及び第２実施例の鏡装置２は、何れも、３枚の鏡と照明装置１４を備えつつも、見る人に、より自然な印象を与えることができるものとなっている。
【００７４】
また、第１実施例の鏡装置１及び第２実施例の鏡装置２では、何れの場合も、可動鏡１３が固定鏡１２に接すると、３枚の鏡が一面鏡を形成し、可動鏡１３が固定鏡１２から離間すると、３枚の鏡が三面鏡を形成することとなっている。このように、第１実施例の鏡装置１及び第２実施例の鏡装置２は、何れも、一面鏡と多面鏡との二種類の使用態様の間で切替え自在に使用することができるので好適である。
【００７５】
また、第１実施例の鏡装置１及び第２実施例の鏡装置２は、何れの場合も、可動鏡１３が、固定鏡１２側の端部１３４を回転軸として回動することで固定鏡１２に向かって傾くものとなっている。可動鏡１３を回動させて三面鏡とするとき、可動鏡１３における固定鏡１２側の端部１３４が回転軸となることから、回動後の可動鏡１３の略全面を見ることができる。このように、第１実施例の鏡装置１及び第２実施例の鏡装置２は、何れも、三面鏡として使用するときでも、可動鏡１３を無駄なく使用することができるので好適である。
【００７６】
また、第１実施例の鏡装置１及び第２実施例の鏡装置２では、何れの場合も、固定鏡１２から離間した可動鏡１３における固定鏡１２側の端部１３４は、固定鏡１２の鏡面１２１と交差する方向（図２における矢印ＣＤ１方向）において、固定鏡１２における可動鏡１３側の端部１２２と同じ位置にある。
【００７７】
仮に、本実例とは異なり、可動鏡１３における固定鏡１２側の端部１３４が、上記の方向において、例えば固定鏡１２における可動鏡１３側の端部１２２よりも後方に下がっているものとする。可動鏡１３を傾けて三面鏡として用いるような場合、可動鏡１３における固定鏡１２側の端部１３４がこのように後方に下がっていると、可動鏡１３に映る像が固定鏡１２側に寄ってしまい、見難くなることがある。
【００７８】
これに対し、第１実施例の鏡装置１及び第２実施例の鏡装置２は、可動鏡１３における固定鏡１２側の端部１３４が、固定鏡１２における可動鏡１３側の端部１２２と同じ位置にあるので、可動鏡１３に映る像の固定鏡１２側への寄りが抑えられることから好適である。
【００７９】
また、第１実施例の鏡装置１及び第２実施例の鏡装置２では、固定鏡１２から離間した可動鏡１３における固定鏡１２側の端部１３４は、固定鏡１２に対する接離方向において、光放射領域１４１の端部１４１ａより固定鏡１２側にある。これにより、光放射領域１４１の露出時に可動鏡１３の端部１３４と光放射領域１４１の端部１４１ａとの間に隙間が生じることがなく、見栄えの点で好適である。
【００８０】
また、第１実施例の鏡装置１及び第２実施例の鏡装置２では、可動鏡１３を固定鏡１２に対して接離させる駆動機構１７を備えていることから、鏡装置２の使用者の操作をトリガとして駆動機構１７によって可動鏡１３の移動が自動的に実行されるので好適である。
【００８１】
尚、前述した第１実施例及び第２実施例は本発明の代表的な形態を示したに過ぎず、本発明は、これらの実施例に限定されるものではない。即ち、本発明の骨子を逸脱しない範囲で種々変形して実施することができる。かかる変形によってもなお本発明の鏡装置の構成を具備する限り、勿論、本発明の範疇に含まれるものである。
【００８２】
例えば、前述した第１実施例及び第２実施例では、何れも、本発明にいう鏡装置の一例として、３枚の鏡１２，１３を備える鏡装置１，２が例示されている。しかしながら、本発明はこれに限るものではなく、その鏡の枚数は、２枚であっても、あるいは４枚以上であってもよく、複数枚であれば、その具体的な枚数を問うものではない。
【００８３】
また、前述した第１実施例及び第２実施例では、何れも、本発明にいう鏡装置の一例として、固定鏡１２の隣に、その固定鏡１２に対して接離可能な可動鏡１３が配置された鏡装置１，２が例示されている。しかしながら、本発明にいう鏡装置はこれに限るものではなく、例えば、相互に接離可能な２枚の可動鏡が並べて配置されたものであってもよく、固定鏡の隣に配置された可動鏡の更に隣に、その可動鏡に対して接離可能な別の可動鏡が配置されたもの等であってもよい。このように、本発明にいう鏡装置は、複数枚の鏡のうち少なくとも一枚の鏡が、隣の鏡に対して接離可能な可動鏡となっていれば、具体的な鏡の構成を問うものではない。
【００８４】
また、前述した第１実施例及び第２実施例では、何れも、本発明にいう鏡装置の一例として、可動鏡１３が固定鏡１２（隣の鏡）に接すると一面鏡が形成され、可動鏡１３が固定鏡１２（隣の鏡）から離間すると三面鏡（多面鏡）が形成される鏡装置１、２が例示されている。しかしながら、本発明にいう鏡装置はこれに限るものではなく、例えば、可動鏡が隣の鏡に対し元々傾いており、回動はせずに単純に接離するもの等であってもよい。ただし、上記のように一面鏡と多面鏡とで使用態様が切り換えられるようにすることで、使用の幅が広がり好適であることは上述した通りである。
【００８５】
また、前述した第１実施例及び第２実施例では、何れも、本発明にいう鏡装置の一例として、モータ１７４を備えて可動鏡１３を接離させる駆動機構１７を備えた鏡装置１，２が例示されている。しかしながら、本発明にいう鏡装置はこれに限るものではなく、例えば、可動鏡が手動操作によって接離するもの等であってもよい。ただし、駆動機構を備えることで、可動鏡の移動を自動的に実行することができ好適である点は上述した通りである。
【００８６】
また、前述した第１実施例及び第２実施例では、何れも、本発明にいう可動鏡の一例として、固定鏡１２（隣の鏡）から離間した状態で、固定鏡１２（隣の鏡）側の端部１３４が、その固定鏡１２（隣の鏡）の鏡面１２１と交差する方向（図２における矢印ＣＤ１方向）において、その固定鏡１２（隣の鏡）の端部１３４と同じ位置にある可動鏡１３が例示されている。しかしながら、本発明にいう可動鏡はこれに限るものではなく、例えば、上記の方向において、可動鏡の端部が、隣の鏡の鏡面側でこの鏡面から離れた位置にあるもの等であってもよい。
【００８７】
また、前述した第１実施例及び第２実施例では、何れも、本発明にいう可動鏡の一例として、固定鏡１２（隣の鏡）から離間した状態で、固定鏡１２（隣の鏡）側の端部１３４が、光放射領域１４１の端部１４１ａより固定鏡１２（隣の鏡）側にある可動鏡１３が例示されている。しかしながら、本発明にいう可動鏡はこれに限るものではなく、例えば、離間した状態で、可動鏡の端部が光放射領域の端部と同じ位置にあるもの等であってもよい。
【００８８】
また、前述した第１実施例及び第２実施例では、各入力部１５１，１５２，１５３は、その端部が、上面１１ａから突出するように筐体１１に支持されている。しかし、これら入力部に、押すという操作が必要な押ボタン、比較的大きい面を有するタッチセンサであっても構わない。押しボタンを用いる場合には、ボタンを押し込む変位量が比較的小さいものを採用することが、ユーザによる連続した操作がしやすい点で好適である。比較的大きい面を有するタッチセンサを有する場合、この面内に入力装置に相当する領域を設け、ユーザが面に触れたときにはこれら領域を隆起（凸状）又は沈降（凹状）させる、或いは振動を与えるなど、触感をユーザに与えるものが、ユーザによる連続した操作がしやすい点で好適である。
【符号の説明】
【００８９】
１，２  鏡装置
１１，２１    筐体
１１ａ  上面
１１ｂ  孔
１２    固定鏡
１３    可動鏡
１４    照明装置
１６    制御部
１７    駆動機構
２２    洗面台
２３    収納棚
２４    第２の照明装置
１２１，１３１    鏡面
１２２，１３４，１４１ａ  端部
１３２  下端縁
１３３  上端縁
１４１  光放射領域
１５１，１５１ａ  第１入力部
１５２，１５２ａ  第２入力部
１５３，１５３ａ  第３入力部
１７１  スライドフレーム
１７１ａ  第１カム溝
１７１ｂ  第２カム溝
１７２  スライドレール
１７２ａ  第１レール
１７２ａ−１  第３カム溝
１７２ａ−２  第４カム溝
１７２ｂ  第２レール
１７３ａ  第１カムシャフト
１７３ｂ  第２カムシャフト
１７３ｃ  第３カムシャフト
１７３ｄ  第４カムシャフト
１７４    モータ
１７５    ラックギア
１７６    減速ギア
１７７    ピニオンギア
１７８    連絡シャフト
１７８ａ，１７８ｂ    連絡用ピニオンギア
１７９ａ  位置センサ
１７９ｂ  開き検知センサ
１７９ｃ  閉じ検知センサ
【図１】
2016168171.tif 000003
【図２】
2016168171.tif 000004
【図３】
2016168171.tif 000005
【図４】
2016168171.tif 000006
【図５】
2016168171.tif 000007
【図６】
2016168171.tif 000008
【図７】
2016168171.tif 000009
【図８】
2016168171.tif 000010
【図９】
2016168171.tif 000011
【図１０】
2016168171.tif 000012